(57)【要約】【課題】移殖する苗の定植に最適な大きさの定植穴を所定位置にあけ、マルチシート抜き片を容易に回収でき、穴あけ作業が効率的にできる定植用穴あけ機を提供する【解決手段】定植用穴あけ機１は、フレーム１０、車輪取付部１１、金属柱１２、把手１３、車輪２０とから構成される。車輪２０の外周には所定間隔で穴あけカッター３０３０が取り付けてある。円筒状の穴あけカッター３０先端側に環状に連続した三角刃３１が形成されている。取付ピン３２は、穴あけカッター３０の円筒の軸中心を貫通し、先端が矢じり状に形成され、軸部に円盤状の押出板３４とコイルスプリング３３を貫通させている。取付ピン３２に装着された押出板３４は三角刃３１の刃先の位置よりわずかに車輪側に位置させている。押出板３４は、コイルスプリング３３の付勢力により取付ピン３２の先端部に押しつけられて止着されている。【選択図】図１
2011055814.tif 000002
【特許請求の範囲】
【請求項１】
畑やビニールシート内に設置したマルチシート及びその下の地面に苗植付け用の穴を所定間隔であけるための定植用穴あけ機であって、定植用穴あけ機のフレームに、地面に接して回転する車輪を取り付け、その車輪の外周に、先端部が環状に連続した三角刃からなる円筒状の穴あけカッターを、所定の間隔で取り付けたことを特徴とする定植用穴あけ機。
【請求項２】
前記穴あけカッターの円筒内部に、円盤状の押出板を取り付け、この押出板はコイルスプリングにより付勢して穴あけカッターの三角刃の内側位置に位置するように取り付け、穴あけカッターが苗植え付け用の穴をあけた際に、穴あけカッターの円筒内部に入り込んだ土を、前記押出板がコイルスプリングの反発力により押し出すようにしたことを特徴とする、請求項１に記載の定植用穴あけ機。
【発明の詳細な説明】
【技術分野】
【０００１】  本発明は、野菜、花卉等の定植作業時の穴あけに関するものであり、詳しくは、鉢上げされた野菜や花卉の苗を定植する際に、畑やビニールシート内に設置したマルチシートに定植用穴を効率的にあける定植用穴あけ機に関するものである。
【背景技術】
【０００２】  従来、苗の定植作業における穴あけ作業は、移植する苗の数だけ必要であり、定植用穴を人力で１つずつあけており、その作業は重労働であった。近年、畑やビニールシート内において、定植する苗の保湿、地温の保持、雑草防止等の為にマルチシートを設置し、定植する位置に穴をあけることが一般的に行われている。定植した苗の上からマルチシートを設置することは苗の位置に穴を開けることが必要となり、困難な作業であるため、あらかじめ地面にマルチシートを設置し、マルチシートと地面に同時に穴を開けて定植を行う方法がとられてきた。この穴あけ作業は、穴あけ道具を使用し、人力にて一カ所ずつ穴をあけるのであるが、ビニールハウス内の温度は高く、温度によるマルチシートの伸び等により、穴あけの作業性が悪くなる為、作業時間の制約も受けると共に作業後のマルチシート抜き片の回収も多大な時間を要し、作業時間の遅延による定植穴の乾燥が定植苗に悪影響を与えてきた。【０００３】  そこで、棒状の基体の下面側に先端が尖った断面円形の穴あけ体を複数並設したものを上方から地面に押し付けるようにして穴あけを行う「苗定植用穴あけ機」が提案されている（特開平１１−３１８１１９）。しかし、この「苗定植用穴あけ機」では、基体に取り付けられた操作柄を手で持ち、これを人力で畑の地面に押しつけて穴を空け、順次隣の位置に移って作業する必要があり、連続作業を行うことが難しく、作業時間が多く掛かってしまい、かつ重労働を強いられるものであった。
このような問題を改善するために、定植用穴あけ機のフレームに地面を接して回転する車輪を設け、車輪の外周に穴あけ棒を複数設けて穿穴装置を構成した「定植用穴あけ機」が提案されている（特開２０００−３１６３９６）。しかし、この「定植用穴あけ機」では、車輪の外周に設けた穴あけ棒によってできる穴は、野菜の種類によって自在に定植穴の大きさ調整がきかず、ある一定の野菜にしか適合できず、マルチシートに定植する苗に適した穴よりより大きな穴や小さな穴があいてしまうことがあり、作業の中断を余儀なくされることがあった。また、定植苗にも保温性が低下し、雑草が生えてしまうという問題があった。【０００４】  一般的にビニールハウスでの栽培農家は数１０棟の規模で野菜等を栽培しているので、マルチシート張りも数十シート、定植用穴数は数万個にもなり、その作業は重労働であり、前述の如く、人力による穴あけ作業は過酷な労働を要求されるため、高齢化の進む農家にとっては、定植工程における軽労働及び短時間でできる効率的作業を実現しなければならないという問題は依然解消されていない。
【先行技術文献】
【特許文献】
【０００５】
【特許文献１】特開平１１−３１８１１９号公報
【特許文献１】特開２０００−３１６３９６号公報
【発明の概要】
【発明が解決しようとする課題】
【０００６】  本発明は、従来のこれらの問題を解消し、移殖する苗の定植に最適な大きさの定植穴を所定位置にあけることでき、又、マルチシートに穴をあけてできたマルチシート抜き片を容易に回収でき、穴あけ作業が効率的にできる定植用穴あけ機を提供することを目的とする。また本発明の他の目的は、定植穴の大きさ、配列及び間隔を自在に調整可能とし、作業時間が短縮することができ、簡単な構造かつ取り扱いの容易な定植用穴あけ機を提供することにある。
【課題を解決するための手段】
【０００７】  上記の目的を達成するために、本発明の請求項１に記載の定植用穴あけ機は、畑やビニールシート内に設置したマルチシート及びその下の地面に苗植付け用の穴を所定間隔であけるための定植用穴あけ機であって、定植用穴あけ機のフレームに、地面に接して回転する車輪を取り付け、その車輪の外周に、先端部が環状に連続した三角刃からなる円筒状の穴あけカッターを、所定の間隔で取り付けたことを特徴とする。【０００８】  本発明の定植用穴あけ機は、このように構成したことにより、畑やマルチシートの上に置いて、フレームを手で保持し車輪を回転させながら移動させると、車輪の外周に取り付けた穴あけカッターの先端の三角刃が地面に直接、あるいは畑にマルチシートを敷設してある場合はマルチシートを貫通して地面に刺さり、車輪の回転に従って地面から抜け出て、複数の穴あけカッターが車輪の回転と共に順次所定間隔で苗植付け用の穴（定植用穴）を、地面にあけて行くという作用効果を奏する。【０００９】  また、本発明の請求項２に記載の定植用穴あけ機は、請求項１に記載の定植用穴あけ機において、穴あけカッターの円筒内部に、円板状の押出板を取り付け、この押出板はコイルスプリングにより付勢して穴あけカッターの三角刃の内側位置に位置するように取り付け、穴あけカッターが苗植え付け用の穴を開けた際に、穴あけカッターの円筒内部に入り込んだ土を、前記押出板がコイルスプリングの反発力により押し出すようにしたことを特徴とする。【００１０】  本発明の定植用穴あけ機は、このように構成したことにより、穴あけカッターが土及びビニールシートに定植用穴をあけた際に、穴あけカッターの円筒内部に入り込んだ土を、前記押出板がスプリングの反発力により押し出して外部に排出し、車輪が回転してこの穴あけカッターが次に定植用穴をあけるときには、常に穴あけカッターの円筒内部に土が残っていない状態で新しい定植用穴をあけることができるという作用効果を奏する。
【発明の効果】
【００１１】  本発明によれば、畑やマルチシートの上に置いて、フレームを手で保持し車輪を回転させながら移動させると、穴あけカッターが地面に直接、あるいは畑にマルチシートを敷設してある場合はマルチシートとともに地面に、所定間隔で連続して定植用穴をあけることができる。
また、穴あけカッターが苗植え付け用の穴をあけた際に、穴あけカッターの円筒内部に入り込んだ土を、前記押出板がスプリングの反発力により押し出して、穴あけカッターの円筒内部を空洞状態に戻し、車輪が一周してこの穴あけカッターが次に穴あけするときには、常に穴あけカッターの円筒内部に土が残っていない状態で新しい定植用穴を空けることができる。
【図面の簡単な説明】
【００１２】
【図１】定植用穴あけ機の、全体構造を示す斜視図（Ａ）、穴あけカッターの取付前の状態を示す説明図（Ｂ）、穴あけカッターの取付後の状態を示す説明図（Ｃ）、穴あけカッターの取付後の状態を透視図として示す説明図（Ｄ）である。
【図２】定植用穴あけ機の使用状態を示す説明図である。
【図３】穴あけカッターの作動を示す説明図（Ａ〜Ｄ）である。
【発明を実施するための形態】
【００１３】  本発明の実施の形態を、図を用いて説明する。図１（Ａ）は、本発明の定植用穴あけ機の全体構造を示す斜視図である。定植用穴あけ機１は、フレーム１０と、車輪２０と、車輪の外周に取り付けられた複数の穴あけカッター３０とから構成されている。
フレーム１０は、金属板をＬ字状に形成した車輪取付部１１と、車輪取付部１１に垂直に取り付けた金属柱１２と、金属柱１２の先端に水平に取り付けた把手１３から構成されている。把手１３の両端部にはゴム製のキャップ１４，１４が取り付けてある。車輪取付部１１には車輪２０が取り付けられ、車輪２０の外周には４カ所等間隔に穴あけカッター３０，３０，３０，３０が取り付けてある。
【００１４】  図１（Ｂ）は、車輪への取付前の穴あけカッターの各パーツを展開した状態を示す説明図である。穴あけカッター３０は、取付ピン３２によって車輪２０にネジ止めされるようになっている。穴あけカッター３０はステンレスのバネ鋼を用いて円筒状に形成され、その円筒状の先端側に環状に連続した三角刃３１が形成され、基端側（先端側の反対側）は車輪２０の外周にネジ止めできるようにネジ穴をあけた底板が溶接により固着されている。取付ピン３２は、穴あけカッター３０の円筒の軸中心を貫通するように位置し、先端が尖った矢じり状に形成され、軸部に円盤状の押出板３４とコイルスプリング３３を貫通させて装着するように構成されている。
【００１５】  図１（Ｃ）は車輪への取付後の穴あけカッターの状態を透視して示す斜視図、図１（Ｄ）は車輪への取付後の穴あけカッターの状態を透視して示す側面図である。取付ピン３２の矢じり状の先端は穴あけカッター３０の三角刃３１の刃先の位置よりわずかに突出しており、取付ピン３２に装着された押出板３４は三角刃３１の刃先の位置よりわずかに車輪側に位置させている。押出板３４は、円盤状の中心部に穴が設けてあり、この穴を取付ピン３２の軸部に貫通させ、コイルスプリング３３の付勢力により取付ピン３２の先端の矢じりの根本部に押しつけられて止着されている。このとき押出板３４は、取付ピン３２の軸部に沿って基端側の方向にスライド可能に止着されている。また、押出板３４はコイルスプリング３３を取付ピン３２から外れないようにする役目も果たしている。
【００１６】  上記の実施例では、車輪２０の外周には４カ所等間隔に穴あけカッター３０，３０，３０，３０が取り付けた例を示したが、畑及びマルチシートにあける穴の大きさ及び間隔に多様に対応できるように、車輪の径を選定し、その外周上の穴あけカッターの取付間隔を調整できるように、穴あけカッターをネジ止めする取付穴を多く設けることが好ましい。
穴あけカッター３０は、定植する苗の大きさに応じて種々の大きさのものを用意し、車輪にネジ止めにより、交換することができる。
【００１７】  以下、本発明の定植用穴あけ機の使用方法及び使用時の穴あけカッターの作動について説明する。
図２は、本発明の定植用穴あけ機の使用状態を側面から見た説明図である。本発明の定植用穴あけ機を使用するときは、作業者が畑やビニールハウス内に立って、定植用穴あけ機１の把手１３のキャップ１４，１４を両手で握り、車輪を畑の土の上（マルチシートを敷設した畑にあってはそのマルチシートの上）に置き、前方（図中の進行方向）に押し出すように歩いて行くと、車輪は反時計回りに回転し、穴あけカッター３０の三角刃が車輪２０の自重でマルチシート４０を突き破って土５０に食い込み、定植用の穴をあける。作業者は、定植用穴あけ機１を前方へ押して行くだけで、車輪２０が回転し、それに伴って穴あけカッター３０が、マルチシート４０及び畑の土５０に一定間隔で定植用穴（マルチシートの穴４１、土の穴５１）をあけて行くことが出来る。
【００１８】  図３は、本発明の定植用穴あけ機の穴あけカッターの作動を示す説明図である。図３（Ａ）は、穴あけカッター３０がマルチシート４０及び土５０に食い込む直前の状態を透視図として示している。取付ピン３２の矢じり状の先端がマルチシート４０に突き刺さり、穴あけカッター３０の先端の三角刃がマルチシート４０に当たって、これを環状に突き破る直前の状態を示している。このとき、コイルスプリング３３は伸びた状態で押出板３３を車輪２０の外側方向、即ち、マルチシート４０及び土５０に当接する方向へ付勢している。
【００１９】  図３（Ｂ）は、穴あけカッター３０がマルチシート４０及び土５０に食い込んだ状態を透視図として示している。車輪２０の自重で、穴あけカッター３０の先端の三角刃がマルチシート４０を環状に突き破って、土５０の内部に食い込んでいる。このとき、押出板３３がマルチシート４０及び土５０に当たって、穴あけカッター３０の筒状の内部で車輪方向にスライドしている。コイルスプリング３３は縮んだ状態になり、押出板３３を車輪２０の外側方向へより強く付勢する。
【００２０】  穴あけカッター３０がマルチシート４０及び土５０に食い込んだ後、車輪を前方へ回転させると、マルチシート４０及び土５０に定植用穴（図２中のマルチシートの穴４１、土の穴５１）があき、穴あけカッター３０は図３（Ｃ）（Ｄ）に示す状態となる。
図３（Ｃ）は、穴あけカッター３０がマルチシート４０及び土５０から抜けた状態を透視図として示している。図３（Ｂ）の状態から、車輪を前方へ回転させると、穴あけカッター３０はマルチシート４０及び土５０から抜け出し、このとき、穴あけカッター３０の内部には、くり抜いたマルチシート片４２と土５２が残ったままとなっているが、押出板３３がコイルスプリング３３により外側に強く付勢されているので、穴あけカッター３０の内部に残った土５２を外部に押し出し、押し出された土は畑の上に落とされる。なお、穴あけカッター３０の内部に入り込む土５２は、土の密度や粘度によって、その量や状態は異なるが、図はその一例を示している。
【００２１】  図３（Ｄ）は、穴あけカッター３０の内部に残った土を外部に押し出した後の状態を透視図として示している。穴あけカッター３０の内部に残った土５２を外部に押し出すことにより、車輪２０が前方に回転して、新しい定植穴をあけるときに、穴あけカッター３０は内部に土が残っていないので、毎回必要な深さの定植穴をあけることができる。
穴あけカッター３０の内部には、くり抜いたマルチシート片４２が取付ピン３２の矢じり状の先端に引っ掛かって残るが、マルチシート片４２は薄いので穴あけ作業に支障はなく、ある程度の枚数が穴あけカッター３０内部に溜まったら、これを作業者が取り除いて容易に回収できる。
【００２２】  以上に説明したように、本発明の定植用穴あけ機によれば、車輪を前方へ転がすように押すだけで、連続して簡単かつ確実に所定の間隔で定植用穴をあけることができるので、作業時間の短縮化、農作業の労働軽減に極めて有効である。
また、穴あけカッターはネジ止めにより、簡単に交換可能であるので、種々の大きさの定植穴に適した大きさの穴あけカッターを用意し、取り替えて使用することができる。
また、上記の実施例では、定植用穴あけ機の車輪が一輪のものを示したが、フレーム１０に車軸を取り付け、これに複数の車輪を取り付けて構成することも可能である。このようにすれば、複数条の定植穴を同時にあけることが可能となる。
また、本発明の定植用穴あけ機は、構造が簡単で軽量化も可能であり、かつ、低コストで製造可能である。
【符号の説明】
【００２３】  １・・・定植用穴あけ機
１０・・・フレーム
１１・・・車輪取付部
１２・・・金属柱
１３・・・把手
１４・・・キャップ
２０・・・車輪
３０・・・穴あけカッター
３１・・・三角刃
３２・・・取付ピン
３３・・・コイルスプリング
３４・・・押出板
４０・・・マルチシート
４１・・・マルチシートの抜き穴
４２・・・マルチシートの抜き片
５０・・・土
５１・・・土の穴
５２・・・穴あけカッターの中の土
【図１】
2011055814.tif 000003
【図２】
2011055814.tif 000004
【図３】
2011055814.tif 000005